(57)【要約】      （修正有） 【課題】マスクを着用している間、使用者がより簡単に使用でき、携帯電話やヘッドセットユニットで通話をすることができ、その製造が容易で、使用者の着用後に捨てるに十分に安価である呼吸マスクを提供する。【解決手段】呼吸マスク１０は、使用者の顔を少なくとも部分的に覆うように適合しており、使用者の顔に取り付けられるように適合している本体２０を備え、本体は、また、使用者の呼吸器系に入り及び／又は呼吸器系から出る空気を浄化するように適合している少なくとも１つの濾過手段を有する。呼吸マスクは、呼吸マスクにヘッドセットユニットを取り外し可能に留めるように適合している取り付け手段をさらに備えている。【選択図】図１
0003196741.tif 000002
【実用新案登録請求の範囲】
【請求項１】
使用者の顔を少なくとも部分的に覆うように適合している、空気を浄化するための使い捨て呼吸マスクであって、該呼吸マスクは、
前記使用者の呼吸器系に入り及び／又は呼吸器系から出る空気を浄化するように適合している少なくとも１つの濾過手段を有する、該使用者の顔に取り付けられるように適合している本体を備え、
前記呼吸マスクは、該呼吸マスクにヘッドセットユニットを取り外し可能に留めるように適合している少なくとも１つの取り付け手段をさらに備えている、
使い捨て呼吸マスク。
【請求項２】
前記取り付け手段は前記本体の外側に位置している請求項１に記載の呼吸マスク。
【請求項３】
前記ヘッドセットユニットは、少なくとも１つのマイクロフォンユニットを備え、前記取り付け手段は前記マイクロフォンユニットを前記呼吸マスクに、好ましくは前記呼吸マスクの前記本体に留めるように適合している請求項１又は２に記載の呼吸マスク。
【請求項４】
前記取り付け手段は、少なくとも１つのクリップからなる請求項１ないし３のいずれか１項に記載の呼吸マスク。
【請求項５】
前記取り付け手段は、ポケット、ポーチ、蓋又はこれらの組み合わせからなる請求項１ないし４のいずれか１項に記載の呼吸マスク。
【請求項６】
前記取り付け手段は、さらに遮風要素を備える請求項１ないし５のいずれか１項に記載の呼吸マスク。
【請求項７】
前記本体は、前記ヘッドセットユニットの少なくとも一部分が前記本体の内側上に配置されることができるように適合している開口を備える請求項１ないし６のいずれか１項に記載の呼吸マスク。
【請求項８】
前記開口は閉状態と開状態を有する請求項７に記載の呼吸マスク。
【考案の詳細な説明】
【技術分野】
【０００１】
本考案は、呼吸装置の技術分野に係り、特に、使い捨て呼吸マスクに関する。
【背景技術】
【０００２】
現在、呼吸マスクは日常生活において人々によって着用されている。例えば交通渋滞が空気の質をひどく悪くするような大都市において、人々は、スモッグや他の大気汚染物質の吸入から本人を守るためにマスクを着用する必要性をしばしば感ずる。
【０００３】
呼吸マスクは、マスク着用者が感染するのを防ぐためと他人への感染を防ぐために、伝染性の病気の拡散を減少するためにもまた、通常、使用される。上記目的のための呼吸マスクは、低価格で利用可能であり、使用者は、使用後にもはや必要でなくなったときマスクを簡単に廃棄してもよい。
【０００４】
同時に、多くの人々は、しばしば手で頭部に電話機を支える必要なく電話で話すことができるヘッドセットユニットとともに携帯電話の所要者であり使用者である。このようなヘッドセットユニットは、通常、使用者が電話で話す間、ただ一時的に着用され、使用後は、使用者はヘッドセットを取り外し、次の通話がなされ又は応答する必要があるまで、例えばポケットやバッグの中にしまっておく。ヘッドセットを使用するとき、もし使用者が同時に呼吸マスクを着用する必要があるなら、複数の問題が生じ得る。
【０００５】
もしヘッドセットユニットがマスクの手前に置かれるなら、ヘッドセットの取り外しは一時的なマスクの取り外しを使用者に強いることになり、同時に、汚染された空気を吸入するリスクに使用者を置くことになる。もちろん、電話をし、又は電話を受ける前にマスクの下にヘッドセットユニットを取り付けるため、使用者がマスクを一時的に取り外すことを強いられる先ほどとは反対の場合にも、これは問題である。さらなる問題は、特にかかってきた電話に応答しなければならない緊張した状況において、使い捨てマスクにしばしば見られる取り付けストラップにヘッドセットケーブルをもつれさせて終わるリスクを使用者が冒すことである。他の問題は、ヘッドセットケーブルが使用者の顔とマスクの間に置かれて終わるため、それらの間に適切な気密が得られないことであり、使用者の口に近接して付加された追加的材料は、特に使用者が電話で話しながら動いているならば、通話の音質を下げるかもしれないことである。
【０００６】
上記の観点から、マスクを着用している間、使用者がより簡単に使用でき、携帯電話やヘッドセットユニットで通話をすることができる呼吸マスクの設計が必要とされる。そのようなマスクが、その製造が容易で、使用者の着用後に捨てるに十分に安価であれば、なおさら有利である。
【考案の概要】
【０００７】
上記目的は、独立請求項に係る本考案によって達成される。好ましい実施例は従属請求項で明らかとされる。
【０００８】
本考案において、使い捨て呼吸マスクではヘッドセットユニットがそれに取り外し可能に留められるようになっている。本考案の１つの特徴によれば、使い捨て呼吸マスクは、使用者の顔の少なくとも一部を覆うべく適合するようになっている。マスクには、使用者の呼吸器系に入る及び／又は出る空気を浄化するように適合している濾過手段を備える本体を含む。本体は使用者の顔に取り付けられるように適合し、マスクはさらに、マスクにヘッドセットユニットを取り外し可能に留めるように適合している少なくとも１つの取り付け手段を含む。ヘッドセットをマスクに留めることによって、ヘッドセットユニットがマスクともつれるリスクは軽減され、マスク着用中にヘッドセットユニットの位置が使用者の口に関連して実質的に固定されるので、通話の音質は改善されよう。ヘッドセットユニットをマスクに固定することにより、使用者は、ヘッドセットが扱いにくくて落としたり（再度取り付けたり）するリスクを軽減して、マスクを好きなように、より簡単にはずしたり着けたりすることができる。
【０００９】
本考案の一実施例において、取り付け手段は本体の外側に位置される。このことは、使用者が取り付け手段に本体の内部に手を入れる必要なく簡単にアクセスできることから有利である。このことは、もしハンドセットが例えば音量や通話のための制御つまみを含むならば、そのような制御つまみが使用者によってより簡単にアクセスされるので、また有利である。
【００１０】
本考案の一実施例において、ヘッドセットユニットは少なくとも１つのマイクロフォンユニットを備え、取り付け手段は、呼吸マスクに、好ましくは呼吸マスクの本体にマイクロフォンユニットを留めるように適合している。ヘッドセットは通常、マイクロフォンユニット、少なくとも１つのイヤホン及びそれらを結合するケーブルを含むとされている。ヘッドセットは、また、例えば音量や通話の制御つまみを備えてもよく、このような制御つまみはマイクロフォンユニットと一体化されてもよい。
【００１１】
本考案の一実施例において、取り付け手段は少なくとも１つのクリップからなる。これにより、使用者は、例えばヘッドセットのケーブル、ヘッドセットのマイクロフォンユニット又はヘッドセットユニット全体さえもクリップに留めることにより、ヘッドセットユニットをマスクに取り付けることができる。使用者は必要ならばクリップに留めたものを簡単に取り外すこともできる。
【００１２】
本考案の一実施例において、取り付け手段は、ポケット、ポーチ、蓋またはこれらの組み合わせからなる。このことにより、使用者は、ヘッドセットユニットをマスクに留めることができ、必要ならばマスクからヘッドセットを後に取り外すことができる。ポケット及び／又は、ポーチ及び／又は蓋は、好ましくは本体の濾過手段に見られるものと同じ濾過材料、又は図面や詳細な説明に示された他の適切な材料で作られることが好ましい。
【００１３】
本考案の一実施例において、取り付け手段は遮風要素からなる。このことは、ヘッドセットユニットが風から遮断され通話の音質が改良され得るので有利である。
【００１４】
本考案の一実施例において、本体は、本体の内側にヘッドセットユニットの少なくとも一部分が配置できるように適合した開口を備える。開口を使用して、使用者はヘッドセット全体（又はその一部分）を本体の内部に、顔の近くに置いてもよい。使用者は、また、例えばヘッドセットのケーブルを含むヘッドセットユニットの残余は外側に置いたままで、例えばヘッドセットのマイクロフォンユニットだけを本体の内側に置くことを選択できる。
【００１５】
本考案の一実施例において、開口は閉じた状態と開いた状態とを有する。このことにより、本体の内側にヘッドセットのどのパーツも配置しないならば、マスクの使用者は開口を閉じることができる。開口は、また、付加的換気手段として役立ち、使用者は本体の外側から直接空気を吸うことができ、又は使用者がマスクを外す必要なくそこから飲んだり食べたりできる孔として役立つ。
【００１６】
本考案のさらなる目的、特徴及び有利な点は、考案の詳細な説明、図面及び実用新案登録請求の範囲を参照すれば明らかとなろう。本考案は所定の実施例に限定されず、本考案の他の特徴は、以下に説明される実施例以外の実施例を考案するために組み合わられてよいことは、当業者ならば認識できよう。
【００１７】
本考案は、添付した図面とともに、以下に示す典型的な実施例についての、図解の非限定的な詳細な説明において説明される。
【図面の簡単な説明】
【００１８】
【図１】取り付け手段が複数のクリップからなる呼吸マスクの概略図。
【図２ａ】取り付け手段がポケットと蓋からなる呼吸マスクの概略図。蓋が開いており、ヘッドセットユニットの少なくとも一部分がポケットに挿入される手順が示されている。
【図２ｂ】取り付け手段がポケットと蓋からなる呼吸マスクの概略図。蓋が閉まっており、ヘッドセットユニットがマスクに留められている。
【図３ａ】取り付け手段が蓋と付加的な固定部品からなる呼吸マスクの概略図。蓋は開いている。
【図３ｂ】取り付け手段が蓋と付加的な固定部品からなる呼吸マスクの概略図。蓋は閉じており、ヘッドセットユニットはマスクに留められている。
【図４ａ】取り付け手段が、該蓋を閉じたときヘッドセットユニットをマスクにさらに強固に留めるように形成される蓋からなる呼吸マスクの概略図。蓋は開いている。
【図４ｂ】取り付け手段が、該蓋を閉じたときヘッドセットユニットをマスクにさらに強固に留めるように形成される蓋からなる呼吸マスクの概略図。蓋は閉じており、ヘッドセットユニットはマスクに留められている。
【００１９】
全ての図は概略図であり、必ずしも一定の比率でなく、本考案を説明するために必要なパーツのみを示し、他のパーツについては省略され又は単に示唆にとどまる。全図を通して同じ図面符号は、同じ又は本質的に同じ特徴部を示す。
【考案を実施するための形態】
【００２０】
図１に示すように、本考案の一実施例において、呼吸マスク１０が提供される。呼吸マスク１０は、ストラップ２１の助けにより使用者の顔に取り付けられる本体２０を備える。使用者の呼吸器系に入り／呼吸器系から出る空気を浄化するために、本体２０は、本体２０に一体化された通気性材料から作られる濾過手段（図示されない）を備える。マスクはまた、ヘッドセットユニットのケーブル４２が取り外し可能に留められる２つのクリップ３０ａ−ｂからなる取り付け手段を備える。これは、ヘッドセットのマイクロフォン４１（本考案では音量及び／又は通話の制御つまみのような他の任意の構成要素も含むことを意味する）が使用者の口に関連して好ましい位置となるよう、そして、ヘッドセットのイヤホン４０が使用者の耳に挿入されるよう、それらクリップの間に位置づける。もし使用者がヘッドセットユニットをマスクからはずしたいときは、単にヘッドセットユニットをクリップ３０ａ−ｂからはずすだけでそうすることができる。図面では、取り付け手段はマスクの右側に位置しているが、同様にマスクの左側に位置しても又はマスクの前に位置してもよい。２つのクリップを使用する代わりに、任意の他の数のクリップが使用され得る。これらクリップは同じ型式及び／又は同じ形状である必要はなく、異なる寸法のヘッドセットケーブルを留めるように、又は代わりにヘッドセットマイクロフォンが直接取り付けられるように、又はヘッドセットケーブルとマイクロフォンとがクリップされるように適合している。これらクリップは、プラスチック又は金属のような任意の適切な材料で作られてよく、マスク本体２０に、機械的締金、縫い目、溶接、リベット、ねじ、テープ、又はフックと面ファスナー（例えばＶｅｌｃｒｏ（登録商標））からなる任意の適切な方法で固定されてよい。
【００２１】
図２ａ−ｂに示されるように、本考案の第２実施例において、取り付け手段は、ポケット３１と、閉じ位置にあるときポケット３１の開口を少なくとも部分的に覆う蓋３２とからなる。ヘッドセットマイクロフォン４１（及び任意であるがヘッドセットケーブル４２の部分）は、図２ａに矢印で示す方向に沿ってマイクロフォンユニット４１を押すことによってポケット３１に挿入され得る。マイクロフォンユニットがポケットに挿入された後は、蓋３２が閉じられ、マイクロフォンユニットが（図２ｂに示されるように）呼吸マスク１０に留められ得る。もし使用者がマスクからヘッドセットをはずしたいときは、蓋が開けられ、マイクロフォンユニット４１が図示された矢印とは反対の方向にポケットから引き出される。ポケットと蓋はマスク本体２０及び／又は濾過手段と同じ材料から作られてよい。ポケットと蓋は本体に、機械的締金、縫い目、接着剤、テープ、ねじ、リベット又はフックと面ファスナー（例えばＶｅｌｃｒｏ（登録商標））からなる任意の適切な手段で固定されてよい。ポケットと蓋はまた、本体とポケットと蓋の少なくとも一方が一体に作られるように、本体に部分的に一体化されてよい。使用者が電話をかけるときに風音を軽減し音質を高めるために、ポケットはさらに、遮風層を備えるか又はポケット自体がそのような性質を有する材料で作られてよい。本考案の他の実施例において、蓋３２をなくし、ポケット３１のみのものが含まれてよい。
【００２２】
図３ａ−ｂに示されるように、本考案の第３実施例において、取り付け手段は、ヘッドセットユニットの少なくとも一部分、好ましくはマイクロフォンユニット４１を囲むために折られる蓋３３からなる。蓋３３が閉じられると、ヘッドセットユニットが（図３ｂに示すように）マスク１０に留められる。取り付け手段はまた、蓋３３が閉じられたときにヘッドセットユニットをさらに留めるのを補助する部品３５ａ−ｂを備える。これら部品は好ましくは例えばフォームのような柔らかい材料で作られるが、硬い材料でもよい。蓋３３は本体２０及び／又は濾過手段と同じ材料で作られてよく、又は例えばプラスチック又は織物のような適切な材料で作られてよい。蓋３３をその閉じ位置に固定するために、フックと面ファスナーの部品３４ａ−ｂ（例えばＶｅｌｃｒｏ（登録商標））が蓋３３と本体２０にそれぞれ取り付けられる。閉じ位置に蓋３３を固定する他の適切な手段は、ボタン、スナップファスナー、弾性ストラップ又はバネ状要素からなる。他の実施例において、部品３５ａ−ｂをなくし、又は２つ以外の異なる数の部品が用いられてよい。蓋は、織物、プラスチック又はフィルターのような適切な材料で作られてよく、本体に、機械的締金、縫い目、溶接、接着剤、リベット、ねじ、テープからなる任意の適切な手段により、又はフックと面ファスナー（例えばＶｅｌｃｒｏ（登録商標））の使用により取り付けられてよい。本体２０及び／又は濾過手段及び蓋が一体に作られるように、蓋は、本体２０及び／又は濾過手段と一体化されてよい。
【００２３】
図４ａ−ｂに示されるように、本考案の第４実施例において、取り付け手段は、折り込まれ閉じられたときヘッドセットユニットをより良く留めるように形成された蓋３６からなる。蓋は、例えば、熱を利用し、モールドにより、内部構造を利用し又は例えば柔軟なフォームのような材料のパッドを含むことによって、形成されてよい。例えばマイクロフォンユニット４１を含むヘッドセットは、蓋３６が閉じ位置にあるときマスク１０に留められ、蓋は部品３４ａ−ｂ又は同じ結果をもたらす他の適切な手段によって閉じ位置を維持し得る。
【００２４】
本考案に係るすべての実施例において、取り付け手段（例えば、いくつかのクリップ、ポケット及び／又は蓋）の使用者の口に対する位置は、最適な音質が達成されるように選ばれてよい。この位置は、例えば、使用者の年齢、性別、声のピッチ／トーン、方言のようないくつかの特性を考慮して、又は例えばマスクがたいてい風の強いときに使用されるかどうか、速く若しくはゆっくり動く、若しくは使用者が本考案とともに好んで使用するヘッドセットユニットの実際の寸法や仕様といった例えば環境条件を考慮して、異なる実施例の間で変わってきてよい。
【００２５】
特定の実施例について説明してきたが、種々の変形例や代替例を考えることができ、実用新案登録請求の範囲に記載の範囲内で、説明された互いに異なる実施例からの特徴を組み合わせることが可能であることは、当業者ならば理解されよう。
【符号の説明】
【００２６】
１０…呼吸マスク
２０…マスク本体
２１…ストラップ
３０ａ−ｂ…クリップ
３１…ポケット
３２，３３，３６…蓋
３４ａ−ｂ…部品
３５ａ−ｂ…部品
４０…イヤホン
４１…マイクロフォンユニット
４２…ケーブル
【図１】
0003196741.tif 000003
【図２ａ】
0003196741.tif 000004
【図２ｂ】
0003196741.tif 000005
【図３ａ】
0003196741.tif 000006
【図３ｂ】
0003196741.tif 000007
【図４ａ】
0003196741.tif 000008
【図４ｂ】
0003196741.tif 000009